(57)【要約】【課題】簡易な構成と制御方法により、ポップノイズを低減させるポップノイズ低減回路を提供すること。【解決手段】ポップノイズ低減回路１００は、基準バイアス電圧発生回路１２０の出力電圧Ｖｂｉａｓとサンプル／ホールド回路１４０の出力電圧Ｖｓｈとの電圧レベルを比較し、該比較結果を信号増幅回路１１０の基準バイアス電圧Ｖｒｅｆとして出力する比較器１３０と、信号増幅回路１１０の出力信号Ｖｏｕｔをサンプリング動作するサンプル／ホールド回路１４０とを備え、サンプル／ホールド回路１４０は、信号増幅回路１１０の出力信号Ｖｏｕｔをサンプリングして出力電圧Ｖａ、又はＶｂに保持し、比較器１３０は、信号増幅回路１１０が停止動作モード中に再起動動作モードに移行する場合に最大値側選択回路として動作し、かつ、起動動作モード中に再停止動作モードに移行する場合に最小値側選択回路として動作する。【選択図】図１
2008193341.tif 000002
【特許請求の範囲】
【請求項１】
供給される基準バイアス電圧を基に、音声又はオーディオ信号を増幅する信号増幅回路と、
基準バイアス電圧を発生する基準バイアス電圧発生回路と、
前記信号増幅回路の出力信号をサンプリング動作するサンプル／ホールド回路と、
前記基準バイアス電圧発生回路の出力電圧と前記サンプル／ホールド回路の出力電圧との電圧レベルを比較し、該比較結果を前記信号増幅回路の基準バイアス電圧として出力する比較器と
を備えることを特徴とするポップノイズ低減回路。
【請求項２】
比較器から供給される基準バイアス電圧を基に、音声又はオーディオ信号を増幅する信号増幅回路と、
基準バイアス電圧を発生する基準バイアス電圧発生回路と、
前記比較器の出力電圧をサンプリング動作するサンプル／ホールド回路と、
前記基準バイアス電圧発生回路の出力電圧と前記サンプル／ホールド回路の出力電圧との電圧レベルを比較し、該比較結果を前記信号増幅回路の基準バイアス電圧として出力する比較器と
を備えることを特徴とするポップノイズ低減回路。
【請求項３】
さらに、前記信号増幅回路の出力端子に接続された出力用カップリングコンデンサと、
前記出力用カップリングコンデンサと接地電位との間に接続された再生スピーカとを備えることを特徴とする請求項１又は請求項２に記載のポップノイズ低減回路。
【請求項４】
前記サンプル／ホールド回路は、前記信号増幅回路の起動動作モード中の出力信号が０Ｖから再生出力信号レベルまで立ち上がる時間の、前記信号増幅回路の出力信号をサンプリングすることを特徴とする請求項１記載のポップノイズ低減回路。
【請求項５】
前記サンプル／ホールド回路は、前記信号増幅回路の停止動作モード中の出力信号が再生出力信号レベルから０Ｖまで立ち下がる時間の、前記信号増幅回路の出力信号をサンプリングすることを特徴とする請求項１記載のポップノイズ低減回路。
【請求項６】
前記サンプル／ホールド回路は、停止動作モードから起動動作モードに移行するタイミング、又は起動動作モードから停止動作モードに移行するタイミングで、前記信号出力回路の出力信号を所定の出力電圧に保持することを特徴とする請求項１記載のポップノイズ低減回路。
【請求項７】
前記サンプル／ホールド回路は、前記信号増幅回路の出力信号が、前記再生スピーカで再生できない可聴帯域以下の周波数成分のみをもつ起動波形を描きながら立ち上がる、又は立ち下がる期間の、前記信号増幅回路の出力信号をサンプリングすることを特徴とする請求項３記載のポップノイズ低減回路。
【請求項８】
前記サンプル／ホールド回路は、前記信号増幅回路の起動動作モード中の出力信号が０Ｖから再生出力信号レベルまで立ち上がる時間の、前記比較器の出力電圧をサンプリングすることを特徴とする請求項２記載のポップノイズ低減回路。
【請求項９】
前記サンプル／ホールド回路は、前記信号増幅回路の停止動作モード中の出力信号が再生出力信号レベルから０Ｖまで立ち下がる時間の、前記比較器の出力電圧をサンプリングすることを特徴とする請求項２記載のポップノイズ低減回路。
【請求項１０】
前記サンプル／ホールド回路は、停止動作モードから起動動作モードに移行するタイミング、又は起動動作モードから停止動作モードに移行するタイミングで、前記比較器の出力電圧を所定の出力電圧に保持することを特徴とする請求項２記載のポップノイズ低減回路。
【請求項１１】
前記サンプル／ホールド回路は、前記信号増幅回路の出力信号が、前記再生スピーカで再生できない可聴帯域以下の周波数成分のみをもつ起動波形を描きながら立ち上がる、又は立ち下がる期間の、前記比較器の出力電圧をサンプリングすることを特徴とする請求項３記載のポップノイズ低減回路。
【請求項１２】
前記基準バイアス電圧発生回路は、基準バイアス電圧を出力するＤ／Ａコンバータと、
前記Ｄ／Ａコンバータを制御するＤ／Ａ制御部と、
再生用スピーカで再生できない可聴帯域以下の周波数成分のみをもつ起動・停止波形になるように、デジタル／アナログ変換用データを記憶・保持する起動データ部とを備えることを特徴とする請求項１又は請求項２に記載のポップノイズ低減回路。
【請求項１３】
前記比較器は、前記信号増幅回路が停止動作モード中に再起動動作モードに移行する場合に最大値側選択回路として動作し、かつ、前記信号増幅回路が起動動作モード中に再停止動作モードに移行する場合に最小値側選択回路として動作することを特徴とする請求項１又は請求項２に記載のポップノイズ低減回路。
【発明の詳細な説明】
【技術分野】
【０００１】
本発明は、音声、又はオーディオ再生アンプを連続的に短時間で起動・停止する際に発生するポップノイズを低減させるポップノイズ低減回路に関する。
【背景技術】
【０００２】
近年、携帯情報機器は、音声だけでなく、音楽再生機能に対応したものが多く、その信号再生部には、より高音質・低ノイズ特性が求められるようになっている。特に、高性能なイヤホン等を接続して音楽再生をする場合には、音楽再生のアプリケーションを開始・停止する瞬間の音声、又はオーディオ再生アンプの起動・停止音が聴感上、「耳障りな音」として感じられることが多い。この「耳障りな音」は、一般的に、「ポップノイズ」と呼ばれている。また、アプリケーションの多様化に伴い、音声アプリケーションの高速切替（ＯＮ／ＯＦＦ）動作、及び音声データ処理の高速化も要求されており、オーディオ再生アンプにも、高速応答化が必要となっている。
【０００３】
ポップノイズを低減させる技術としては、例えば特許文献１，２記載のポップノイズ低減回路がある。しかし、これらのポップノイズ低減回路は、ポップノイズを低減させるだけの技術であって高速応答化に対応するものではない。
【０００４】
図８は、特許文献１記載のポップノイズ低減回路の構成を示すブロック図、図９は、図８のポップノイズ低減回路の連続的な起動・停止動作時の基本動作タイミングチャート、図１０は、図８のポップノイズ低減回路の連続的な停止⇒起動時におけるポップノイズ発生タイミングチャート、図１１は、図８のポップノイズ低減回路の連続的な起動⇒停止時におけるポップノイズ発生タイミングチャートである。
【０００５】
図８において、ポップノイズ低減回路１０は、オーディオ入力端子１１と、バイアス回路１２と、Ｄ／Ａコンバータ内蔵バイアス回路１３と、スイッチ回路１４と、フィルタ１５、アンプ１６及びスピーカ１７からなるオーディオ回路１８とを備えて構成される。また、スイッチ回路１４には、スイッチ回路１４に入力する信号を選択するスイッチ制御信号（ＳＷ）１９が入力される。
【０００６】
バイアス回路１２は、音声出力時に基準バイアス電圧を供給する。Ｄ／Ａコンバータ内蔵バイアス回路１３は、Ｄ／Ａコンバータを内蔵した漸増漸減バイアス回路であり、起動・停止時にバイアス電圧を供給する。スイッチ回路１４は、２系統の入力端子の一方にバイアス回路１２が他方にＤ／Ａコンバータ内蔵バイアス回路１３が接続され、スイッチ制御信号（ＳＷ）１９により入力する信号を選択してオーディオ回路１８に出力する。フィルタ１５は、帯域制限をする。アンプ１６は、音声信号を増幅する。スピーカ１７は、音声信号を再生する。
【０００７】
以上の構成において、ポップノイズ低減回路１０は、起動制御前（ＯＦＦ時）に、スイッチ制御信号１９によりＤ／Ａコンバータ内蔵バイアス回路１３の出力信号を、スイッチ回路１４に入力するように制御する。図９に示すように、起動タイミングで、ＯＮ制御を開始し、Ｄ／Ａコンバータ内蔵バイアス回路１３を起動動作モードで動作させ、バイアス電圧をオーディオ回路１８の動作点である基準電圧（Ｖｏｒｅｆ）まで、時間ｔ１の間で徐々に上昇させる。バイアス電圧が基準電圧（Ｖｏｒｅｆ）に達した後、スイッチ制御信号１９によりスイッチ回路１４の選択する入力端子を、バイアス回路１２側に切り替える。その後、基準電圧Ｖｏｒｅｆをオーディオ回路１８の動作点として、音声信号が再生される。また、停止制御前には、スイッチ制御信号１９によりＤ／Ａコンバータ内蔵バイアス回路１３の出力信号を、スイッチ回路１４に入力するように制御する。停止タイミングで、ＯＦＦ制御を開始し、Ｄ／Ａコンバータ内蔵バイアス回路１３を停止動作モードで動作させ、バイアス電圧をオーディオ回路１８の動作点である基準電圧（Ｖｏｒｅｆ）から０Ｖまで、時間ｔ２の間で徐々に下降させる。これにより、起動・停止時のポップノイズの発生を抑える。
【０００８】
図１２は、特許文献２記載のポップノイズ低減回路の構成を示すブロック図、図１３は、図１２のポップノイズ低減回路の連続的な停止⇒起動時におけるポップノイズ発生タイミングチャート、図１４は、図１２のポップノイズ低減回路の連続的な起動⇒停止時におけるポップノイズ発生タイミングチャートである。
【０００９】
図１２において、ポップノイズ低減回路２０は、音声信号を増幅して再生スピーカを駆動する信号増幅回路２１と、信号増幅回路２１に基準電圧を供給する基準バイアス回路２２と、信号増幅回路２１の出力端子に接続された出力用カップリングコンデンサ２３（Ｃｏｕｔ）と、出力用カップリングコンデンサ２３と接地電位との間に接続された再生スピーカ２４とを備えて構成される。
【００１０】
信号増幅回路２１は、スピーカ駆動用アンプ３０、出力信号の増幅率を決める入力抵抗３１（Ｒ１）、及びフィードバック抵抗３２（Ｒ２）とから構成される。
【００１１】
基準バイアス電圧発生回路２２は、制御部４０、メモリ４１、Ｄ／Ａコンバータ４２、及びＡ／Ｄ変換器４３を備えて構成される。
【００１２】
制御部４０は、Ａ／Ｄ変換器４３からの出力データを基に、再生時にスピーカ駆動用アンプ３０の起動・停止モード中の出力信号が再生スピーカ２４で再生できない可聴帯域以下の周波数成分の信号となる基準バイアス電圧をスピーカ駆動用アンプ３０に供給するためのデジタルデータを生成する。
【００１３】
メモリ４１は、デジタルデータを生成するための基準パラメータとなるデータを予め保持し、制御部４０に供給する。
【００１４】
Ｄ／Ａコンバータ４２は、制御部４０で演算・生成されたデジタルデータを受けてデジタル／アナログ変換して基準バイアス電圧としてスピーカ駆動用アンプ３０に供給する。
【００１５】
Ａ／Ｄ変換器４３は、スピーカ駆動用アンプ３０の出力信号をアナログ／デジタル変換する。
【００１６】
以上の構成において、ポップノイズ低減回路２０は、制御部４０が、Ａ／Ｄ変換器４３から供給されるスピーカ駆動用アンプ３０の出力データを取り込み、そのデータと、スピーカ駆動用アンプ３０に入力している基準バイアス電圧Ｖｒｅｆを生成するデジタルデータとを演算し、スピーカ駆動用アンプ３０に入力されている直流電圧Ｖｉｎｄｃを求めている。
【００１７】
制御部４０は、上記直流電圧レベルを基に、スピーカ駆動用アンプ３０の起動・停止モード中の出力信号が再生スピーカ２４で再生できない可聴帯域以下の周波数となるように、メモリ４１から基準のデジタルデータを順次読み出し、演算しながらＤ／Ａコンバータ４２に出力する。Ｄ／Ａコンバータ４２では、制御部４０からの演算データを再生し、基準バイアス電圧Ｖｒｅｆとしてスピーカ駆動用アンプ３０に供給する。図１３及び図１４に示すように、起動時には、時間ｔ１の間で０Ｖから基準バイアス電圧Ｖｏｒｅｆに達するようにＤ／Ａコンバータ４２を動作させる。また停止時には、時間ｔ２の間で基準バイアス電圧Ｖｏｒｅｆから０Ｖに達するようにＤ／Ａコンバータ４２を動作させる。これにより、起動・停止時に発生するポップノイズの低減を図っている。
【特許文献１】特開昭５９−１３３７１５号公報
【特許文献２】特開２００５−１５９８７１号公報
【発明の開示】
【発明が解決しようとする課題】
【００１８】
しかしながら、このような従来のポップノイズ低減回路にあっては、以下のような問題点があった。
【００１９】
（１）図８に示すポップノイズ低減回路１０は、音声スピーカのＯＮ・ＯＦＦを連続的に短時間で繰り返す場合、図９に示すように起動・停止時のポップノイズの発生を抑えるためには、少なくとも時間ｔ＝ｔ１（ＯＮ制御時間）＋ｔ２（ＯＦＦ制御時間）による制御時間が必要となり、音声アプリケーションの高速切替（ＯＮ／ＯＦＦ）動作、及びデータ処理の高速化に伴うオーディオ再生アンプの高速応答化には不適である。逆に、高速応答動作をさせた場合には、図１０の時間ｔ＝Ｔ１＋Ｔ２（ｔ１＞Ｔ１、ｔ２＞Ｔ２）、及び図１１の時間ｔ＝Ｔ３＋Ｔ４（ｔ２＞Ｔ３、ｔ１＞Ｔ４）の短時間起動・停止動作が可能であるが、図１０に示す停止動作モードから起動動作モードへの切替タイミング、及び図１１に示す起動動作モードから停止動作モードへの切替タイミングで、ポップノイズの発生は不可避である。
【００２０】
（２）図１２に示すポップノイズ低減回路２０は、図１３に示す時間ｔ＝ｔ１＋Ｔ２、及び図１４に示すｔ＝ｔ２＋Ｔ４での起動・停止動作切替が可能であり、かつポップノイズの低減も可能である。しかし、停止動作モード途中に起動動作モードに移行する場合、図１３にある再起動タイミング（ｔ＝Ｔ２）での信号増幅回路２１の出力電圧（Ｖｏｕｔ＝Ｖａ）と、メモリ４１に内蔵されているデジタルデータとを再演算させて起動波形データを新たに生成する必要があり、制御部４０により実現されるデータ生成回路部の回路構成が複雑で、かつその制御手段も複雑となる。さらに、起動動作モード途中に停止動作モードに移行する場合、図１４に示す再停止タイミング（ｔ＝Ｔ４）における信号増幅回路２１の出力電圧（Ｖｏｕｔ＝Ｖｂ）と、メモリ４１に内蔵されているデジタルデータとを再演算させて停止波形データを新たに生成する必要があり、上記データ生成回路部の回路構成が複雑で、かつその制御手段も複雑となる。
【００２１】
本発明は、かかる点に鑑みてなされたものであり、簡易な構成と制御方法により、音声、又はオーディオ再生アンプの連続起動・停止を短時間に繰り返す時に発生するポップノイズを低減させるポップノイズ低減回路を提供することを目的とする。
【課題を解決するための手段】
【００２２】
本発明のポップノイズ低減回路は、供給される基準バイアス電圧を基に、音声又はオーディオ信号を増幅する信号増幅回路と、基準バイアス電圧を発生する基準バイアス電圧発生回路と、前記信号増幅回路の出力信号をサンプリング動作するサンプル／ホールド回路と、前記基準バイアス電圧発生回路の出力電圧と前記サンプル／ホールド回路の出力電圧との電圧レベルを比較し、該比較結果を前記信号増幅回路の基準バイアス電圧として出力する比較器とを備える構成を採る。
【００２３】
本発明のポップノイズ低減回路は、比較器から供給される基準バイアス電圧を基に、音声又はオーディオ信号を増幅する信号増幅回路と、基準バイアス電圧を発生する基準バイアス電圧発生回路と、前記比較器の出力電圧をサンプリング動作するサンプル／ホールド回路と、前記基準バイアス電圧発生回路の出力電圧と前記サンプル／ホールド回路の出力電圧との電圧レベルを比較し、該比較結果を前記信号増幅回路の基準バイアス電圧として出力する比較器とを備える構成を採る。
【発明の効果】
【００２４】
本発明によれば、連続的に短時間でＯＮ・ＯＦＦ動作を繰り返す場合に発生する起動・停止時のポップノイズを、簡易な構成と制御方法で低減することができ、かつ回路規模及びチップ面積を抑え、コストアップの軽減を図ることができる。
【発明を実施するための最良の形態】
【００２５】
以下、本発明の実施の形態について、図面を参照して詳細に説明する。
【００２６】
（実施の形態１）
図１は、本発明の実施の形態１に係るポップノイズ低減回路の構成を示すブロック図である。本実施の形態は、オーディオ用途に好適なポップノイズ低減回路に適用した例である。
【００２７】
図１において、ポップノイズ低減回路１００は、供給される基準バイアス電圧Ｖｒｅｆを基に、音声又はオーディオ信号を増幅する信号増幅回路１１０と、基準バイアス電圧Ｖｂｉａｓを発生する基準バイアス電圧発生回路１２０と、基準バイアス電圧発生回路１２０の出力電圧Ｖｂｉａｓとサンプル／ホールド回路１４０の出力電圧Ｖｓｈとの電圧レベルを比較し、該比較結果を信号増幅回路１１０の基準バイアス電圧Ｖｒｅｆとして出力する比較器１３０と、信号増幅回路１１０の出力信号Ｖｏｕｔをサンプリング動作するサンプル／ホールド（Ｓ／Ｈ）回路１４０と、信号増幅回路１１０の出力端子に接続された出力用カップリングコンデンサ１５０（Ｃｏｕｔ）と、出力用カップリングコンデンサ１５０と接地電位との間に接続された再生スピーカ１６０とを備えて構成される。
【００２８】
比較器１３０は、２系統の入力端子に基準バイアス電圧発生回路１２０の出力電圧Ｖｂｉａｓとサンプル／ホールド回路１４０の出力電圧Ｖｓｈとが入力され、入力された両電圧ＶｂｉａｓとＶｓｈとの電圧レベルを比較し、その比較結果を信号増幅回路１１０の基準バイアス電圧Ｖｒｅｆとして出力する。本実施の形態では、比較器１３０は、信号増幅回路１１０が停止動作モード中に再起動動作モードに移行する場合に最大値側選択回路として動作し、かつ、信号増幅回路１１０が起動動作モード中に再停止動作モードに移行する場合に最小値側選択回路として動作する。
【００２９】
サンプル／ホールド回路１４０は、信号増幅回路１１０の出力信号Ｖｏｕｔをサンプル／ホールド動作により保持し、比較器１３０の入力端子に出力する。具体的には、サンプル／ホールド回路１４０は、信号増幅回路１１０の起動動作モード中の出力信号Ｖｏｕｔが０Ｖから再生出力信号レベルＶｏｒｅｆまで立ち上がる時間、又は、信号増幅回路１１０の停止動作モード中の出力信号が再生出力信号レベルＶｏｒｅｆから０Ｖまで立ち下がる時間の、信号増幅回路１１０の出力信号Ｖｏｕｔをサンプリングする。この場合、サンプル／ホールド回路１４０は、信号増幅回路１１０の出力信号Ｖｏｕｔが、再生スピーカで再生できない可聴帯域以下の周波数成分のみをもつ起動波形を描きながら立ち上がる、又は立ち下がる期間の、信号増幅回路１１０の出力信号Ｖｏｕｔをサンプリングする。また、本実施の形態では、サンプル／ホールド回路１４０は、停止動作モードから起動動作モードに移行するタイミング、又は起動動作モードから停止動作モードに移行するタイミングで、信号出力回路１１０の出力信号Ｖｏｕｔを出力電圧Ｖａ、又はＶｂに保持する。
【００３０】
以下、上述のように構成されたポップノイズ低減回路１００の動作について説明する。
【００３１】
〔通常起動・停止動作時の基本動作〕
図２は、ポップノイズ低減回路１００の通常の起動・停止動作時の基本動作タイミングチャートである。
【００３２】
基準バイアス電圧発生回路１２０は、起動制御前の基準バイアス電圧Ｖｒｅｆを、比較器１３０を介して直接、信号増幅回路１１０の入力端子に入力する。起動動作時の基準バイアス電圧Ｖｒｅｆは、Ｖｒｅｆ＝０Ｖとして、時間ｔ＝ｔ１後にＶｒｅｆが信号増幅回路１１０の所定の動作電圧レベルである再生出力信号レベルＶｏｒｅｆとして供給されるように徐々に起動させる電圧である。これにより、起動動作時には、図２ａ．に示すように、Ｖｒｅｆ＝０Ｖとし、時間ｔ＝ｔ１後にＶｒｅｆが信号増幅回路１１０の所定の再生出力信号レベルＶｏｒｅｆとして供給されるように徐々に起動する。
【００３３】
その際、基準バイアス電圧Ｖｒｅｆは、信号増幅回路１１０の起動動作モード中の出力信号Ｖｏｕｔが再生スピーカ１６０で再生できない可聴帯域以下の周波数成分のみをもつ起動波形を描きながら、０ＶからＶｏｒｅｆまで立ち上がるものとする。この時、サンプル／ホールド回路１４０は、信号増幅回路１１０の出力信号Ｖｏｕｔをサンプリング動作している、又は、ＯＦＦ状態にあるものとする。基準バイアス電圧ＶｒｅｆがＶｏｒｅｆまで起動した後、信号増幅回路１１０はオーディオ信号（図２ｂ．参照）の再生を行う。
【００３４】
続いて、オーディオ信号の再生が終了し、時間ｔ＝ｔ２の間で停止させる場合、基準バイアス電圧発生回路１２０は、基準バイアス電圧Ｖｒｅｆを時間ｔ＝ｔ２後にＶｒｅｆ＝ＶｏｒｅｆからＶｒｅｆ＝０Ｖとなるように、比較器１３０を介して直接、信号増幅回路１１０の入力端子に入力する。オーディオ信号の再生終了時の基準バイアス電圧Ｖｒｅｆは、時間ｔ＝ｔ２後にＶｒｅｆ＝ＶｏｒｅｆからＶｒｅｆ＝０Ｖとなる電圧である。これにより、オーディオ信号の再生終了時には、図２ｃ．に示すように、基準バイアス電圧発生回路１２０を徐々に停止させながら基準バイアス電圧Ｖｒｅｆを時間ｔ＝ｔ２後にＶｒｅｆ＝ＶｏｒｅｆからＶｒｅｆ＝０Ｖとなるように制御する。
【００３５】
その際、比較器１３０の出力電圧Ｖｒｅｆは、信号増幅回路１１０の停止動作モード中の出力信号Ｖｏｕｔが再生スピーカ１６０で再生できない可聴帯域以下の周波数成分のみをもつ停止波形を描きながらＶｏｒｅｆから０Ｖまで立ち下がるものとする。この時、サンプル／ホールド回路１４０は、出力信号Ｖｏｕｔをサンプリング動作している、又はＯＦＦ状態にあるものとする。
【００３６】
このように、基準バイアス電圧発生回路１２０から、比較器１３０を介して信号増幅回路１１０の起動・停止動作モード中の出力信号Ｖｏｕｔが再生スピーカ１６０で再生できない可聴帯域以下の周波数成分のみをもつ起動・停止波形を、信号増幅回路１１０の入力端子に入力することで、従来、音声、又はオーディオ再生アンプの起動・停止時に発生していたポップノイズを低減させることが可能となる。
【００３７】
〔起動・停止時動作〕
図３及び図４は、ポップノイズ低減回路１００の起動・停止時の動作タイミングチャートであり、図３は、通常の停止動作モードの途中で起動動作モードに移行させる場合（ＯＮ⇒ＯＦＦ⇒ＯＮ）の動作を、図４は、通常の起動動作モードの途中で停止動作モードに移行させる場合（ＯＦＦ⇒ＯＮ⇒ＯＦＦ）の動作を示す。
【００３８】
まず、図３に示すように、オーディオ信号（図３ａ．参照）の再生が終了した後、時間ｔ＝Ｔ２の区間、停止動作モードで基準バイアス電圧発生回路１２０を動作させたあと、起動動作モードに移行する場合についての起動・停止動作を説明する。
【００３９】
図３ｂ．は時間ｔ＝Ｔ２のＯＦＦ制御時停止波形、図３ｃ．は最大値側選択動作モードにした場合の比較器１３０出力、図３ｄ．は時間ｔ１のＯＮ制御時起動波形、図３ｅ．はサンプル／ホールド回路１４０動作区間を示す。なお、時間ｔ１後は、通常のオーディオ信号と停止動作時であり、前記図２ｂ．のオーディオ信号と図２ｃ．のＯＦＦ制御時起動波形と同様である。
【００４０】
時間ｔ＝Ｔ２のタイミングでの、信号出力回路の出力信号ＶｏｕｔをＶｏｕｔ＝Ｖａとして、停止動作モードから起動動作モードに移行するタイミングで、サンプル／ホールド回路１４０のホールド動作により、出力電圧Ｖｓｈ＝Ｖａとして保持される。その後、基準バイアス電圧発生回路１２０を再びＶｂｉａｓ＝０ＶからＶｏｒｅｆまで通常の起動動作をさせる。この時、比較器１３０を[比較器出力選択モード]のうち最大値側選択動作モードに設定することで、
Ｖｒｅｆ＝Ｖｓｈ（＝Ｖａ）  …（Ｖｓｈ＞Ｖｂｉａｓ）
Ｖｒｅｆ＝Ｖｂｉａｓ        …（Ｖｓｈ＜Ｖｂｉａｓ）
となる基準バイアス電圧Ｖｒｅｆを信号増幅回路１１０に入力できる。
【００４１】
ＯＦＦ制御時停止波形（図３ｂ．参照）からＯＮ制御時起動波形（図３ｄ．参照）に切り替わる際、ＯＦＦ制御時停止波形（図３ｂ．参照）は、一旦、比較器１３０出力（図３ｃ．参照）を介在してＯＮ制御時起動波形（図３ｄ．参照）に切り替わることになる。この比較器１３０出力によりポップノイズは発生しない。制御時間ｔ＝Ｔ２＋ｔ１は、高速応答動作であり、かつ、比較器１３０出力であるためメモリ及び制御部を用いる従来例に比べ回路構成は極めて簡易である。
【００４２】
これにより、停止動作モード中に起動動作モードに設定された場合でも、信号増幅回路１１０の出力信号Ｖｏｕｔを滑らかに変化させることができ、ポップノイズをはじめとする「耳障りな音」を抑えることが可能となる。
【００４３】
次に、図４に示すように、ＯＦＦ状態から時間ｔ＝Ｔ４の区間、起動動作モードで基準バイアス電圧発生回路１２０を動作させたあと、停止動作モードに移行する場合についての起動・停止動作を説明する。
【００４４】
図４ａ．は時間ｔ＝Ｔ４のＯＮ制御時起動波形、図４ｂ．は最小値側選択動作モードにした場合の比較器１３０出力、図４ｃ．は時間ｔ２のＯＦＦ制御時停止波形、図４ｄ．はサンプル／ホールド回路１４０動作区間を示す。なお、時間ｔ１後は、通常のオーディオ信号と停止動作時であり、前記図２ａ．のＯＮ制御時起動波形と図２ｂ．のオーディオ信号と同様である。
【００４５】
時間ｔ＝Ｔ４のタイミングでの、信号出力回路の出力信号ＶｏｕｔをＶｏｕｔ＝Ｖｂとして、起動動作モードから停止動作モードに移行するタイミングで、サンプル／ホールド回路１４０のホールド動作により、出力電圧Ｖｓｈ＝Ｖｂとして保持される。その後、基準バイアス電圧発生回路１２０をＶｂｉａｓ＝Ｖｏｒｅｆから０Ｖまで通常の停止動作をさせるが、比較器１３０を[比較器出力選択モード]のうち最小値側選択動作モードに設定することで、
Ｖｒｅｆ＝Ｖｓｈ（＝Ｖｂ）  …（Ｖｓｈ＜Ｖｂｉａｓ）
Ｖｒｅｆ＝Ｖｂｉａｓ        …（Ｖｓｈ＞Ｖｂｉａｓ）
となる基準バイアス電圧Ｖｒｅｆを信号増幅回路１１０に入力できる。
【００４６】
ＯＮ制御時起動波形（図４ａ．参照）からＯＦＦ制御時停止波形（図４ｃ．参照）に切り替わる際、ＯＮ制御時起動波形（図４ａ．参照）は、一旦、比較器１３０出力（図４ｂ．参照）を介在してＯＦＦ制御時停止波形（図４ｃ．参照）に切り替わることになる。この比較器１３０出力によりポップノイズは発生しない。制御時間ｔ＝Ｔ４＋ｔ２は、高速応答動作であり、かつ、比較器１３０出力であるためメモリ及び制御部を用いる従来例に比べ回路構成は極めて簡易である。
【００４７】
これにより、起動動作モード中に停止動作モードに設定された場合でも、信号増幅回路１１０の出力信号Ｖｏｕｔを滑らかに変化させることができ、ポップノイズをはじめとする「耳障りな音」を抑えることが可能となる。
【００４８】
ここで、比較器１３０の比較動作は、通常の起動モード動作時間ｔ１と、通常の停止モード動作時間ｔ２と、移行タイミングＴ２と、移行タイミングＴ４とにより、下記の通り判別される。
【００４９】
[比較器出力選択モード]には、最大値側選択動作モードと最小値側選択動作モードとがある。
【００５０】
上記最大値側選択動作モードは、停止動作モード区間（ｔ２）内に再起動動作モードに設定された場合であり、具体的にはｔ２＞Ｔ２の場合である。
【００５１】
上記最小値側選択動作モードは、起動動作モード区間（ｔ１）内に再停止動作モードに
設定された場合であり、具体的にはｔ１＞Ｔ４の場合である。
【００５２】
以上のように、実施の形態１によれば、ポップノイズ低減回路１００は、音声又はオーディオ信号を増幅する信号増幅回路１１０と、基準バイアス電圧発生回路１２０の出力電圧Ｖｂｉａｓとサンプル／ホールド回路１４０の出力電圧Ｖｓｈとの電圧レベルを比較し、該比較結果を信号増幅回路１１０の基準バイアス電圧Ｖｒｅｆとして出力する比較器１３０と、信号増幅回路１１０の出力信号Ｖｏｕｔをサンプリング動作するサンプル／ホールド回路１４０とを備え、サンプル／ホールド回路１４０は、信号増幅回路１１０の起動動作モード中の出力信号が０Ｖから再生出力信号レベルまで立ち上がる時間、又は停止動作モード中の出力信号が再生出力信号レベルから０Ｖまで立ち下がる時間の信号増幅回路１１０の出力信号Ｖｏｕｔをサンプリングして出力電圧Ｖｂに保持し、比較器１３０は、信号増幅回路１１０が停止動作モード中に再起動動作モードに移行する場合に最大値側選択回路として動作し、かつ、起動動作モード中に再停止動作モードに移行する場合に最小値側選択回路として動作するので、通常の停止動作モードの途中で起動動作モードに移行させる場合（ＯＮ⇒ＯＦＦ⇒ＯＮ）、通常の起動動作モードの途中で停止動作モードに移行させる場合（ＯＦＦ⇒ＯＮ⇒ＯＦＦ）に、比較器１３０出力を介在してＯＮ制御時起動波形又はＯＦＦ制御時停止波形に切り替わることになるため、高速応答動作を保ちながらポップノイズの発生を防止することができる。また、比較器１３０出力であるためメモリ及び制御部を用いる従来例に比べ回路構成は極めて簡易である。
【００５３】
例えば、前記図８の従来例では、起動・停止切替時に発生するポップノイズを抑制するためには、少なくとも時間ｔ＝ｔ１（ＯＮ制御）＋ｔ２（ＯＦＦ制御）だけの制御時間で、停止動作モード⇒起動動作モード、あるいは、起動動作モード⇒停止動作モードを切り替えていた。これに対し、本実施の形態では、制御時間ｔ＜ｔ１（ＯＮ制御）＋ｔ２（ＯＦＦ制御）での停止動作モード⇒起動動作モード、あるいは起動動作モード⇒停止動作モードの切替により、連続的な短時間でのＯＮ・ＯＦＦ制御が可能となり、かつ、起動・停止切替時に発生するポップノイズの低減を図ることができる。
【００５４】
また、図１２の従来例と比較すると、本実施の形態では、制御時間ｔ＜ｔ１（ＯＮ制御）＋ｔ２（ＯＦＦ制御）での停止動作モード⇒起動動作モード、あるいは起動動作モード⇒停止動作モードの切替を、より簡易的な方法で、かつ回路規模も小さく実現できる。
【００５５】
（実施の形態２）
図５は、本発明の実施の形態２に係るポップノイズ低減回路の構成を示すブロック図である。本実施の形態の説明に当たり、図１と同一構成部分には同一符号を付して重複箇所の説明を省略する。
【００５６】
図５において、ポップノイズ低減回路２００は、比較器１３０から供給される基準バイアス電圧Ｖｒｅｆを基に、音声又はオーディオ信号を増幅する信号増幅回路１１０と、基準バイアス電圧Ｖｂｉａｓを発生する基準バイアス電圧発生回路１２０と、基準バイアス電圧発生回路１２０の出力電圧Ｖｂｉａｓとサンプル／ホールド回路２４０の出力電圧Ｖｓｈとの電圧レベルを比較し、該比較結果を信号増幅回路１１０の基準バイアス電圧Ｖｒｅｆとして出力する比較器１３０と、比較器１３０の出力電圧である基準バイアス電圧Ｖｒｅｆをサンプリング動作するサンプル／ホールド回路２４０と、信号増幅回路１１０の出力端子に接続された出力用カップリングコンデンサ１５０（Ｃｏｕｔ）と、出力用カップリングコンデンサ１５０と接地電位との間に接続された再生スピーカ１６０とを備えて構成される。
【００５７】
比較器１３０は、２系統の入力端子に基準バイアス電圧発生回路１２０の出力電圧Ｖｂｉａｓとサンプル／ホールド回路２４０の出力電圧Ｖｓｈとが入力され、入力された両電圧ＶｂｉａｓとＶｓｈとの電圧レベルを比較し、その比較結果を信号増幅回路１１０の基準バイアス電圧Ｖｒｅｆとして出力する。本実施の形態では、比較器１３０は、信号増幅回路１１０が停止動作モード中に再起動動作モードに移行する場合に最大値側選択回路として動作し、かつ、信号増幅回路１１０が起動動作モード中に再停止動作モードに移行する場合に最小値側選択回路として動作する。
【００５８】
サンプル／ホールド回路２４０は、比較器１３０の出力電圧である基準バイアス電圧Ｖｒｅｆをサンプル／ホールド動作により保持し、比較器１３０の入力端子に出力する。具体的には、サンプル／ホールド回路２４０は、信号増幅回路１１０の起動動作モード中の出力信号Ｖｏｕｔが０Ｖから再生出力信号レベルＶｏｒｅｆまで立ち上がる時間、又は、信号増幅回路１１０の停止動作モード中の出力信号が再生出力信号レベルＶｏｒｅｆから０Ｖまで立ち下がる時間の、比較器１３０の出力電圧である基準バイアス電圧Ｖｒｅｆをサンプリングする。この場合、サンプル／ホールド回路２４０は、信号増幅回路１１０の出力信号Ｖｏｕｔが、再生スピーカで再生できない可聴帯域以下の周波数成分のみをもつ起動波形を描きながら立ち上がる、又は立ち下がる期間の、信号増幅回路１１０の出力信号Ｖｏｕｔをサンプリングする。また、本実施の形態では、サンプル／ホールド回路２４０は、停止動作モードから起動動作モードに移行するタイミング、又は起動動作モードから停止動作モードに移行するタイミングで、比較器１３０の出力電圧である基準バイアス電圧Ｖｒｅｆを出力電圧Ｖａ、またはＶｂに保持する。
【００５９】
以下、上述のように構成されたポップノイズ低減回路２００の動作について説明する。基本的な動作は、図１のポップノイズ低減回路１００と同様である。したがって、図２乃至図４に示す起動・停止時のタイミングチャートを基にポップノイズ低減回路２００の動作を説明する。
【００６０】
〔通常起動・停止動作時の基本動作〕
基準バイアス電圧発生回路１２０は、起動制御前の基準バイアス電圧Ｖｒｅｆを、比較器１３０を介して直接、信号増幅回路１１０の入力端子に入力する。起動動作時の基準バイアス電圧Ｖｒｅｆは、Ｖｒｅｆ＝０Ｖとして、時間ｔ＝ｔ１後にＶｒｅｆが信号増幅回路１１０の所定の再生出力信号レベルＶｏｒｅｆとして供給されるように徐々に起動させる電圧である。これにより、起動動作時には、図２ａ．に示すように、Ｖｒｅｆ＝０Ｖとし、時間ｔ＝ｔ１後にＶｒｅｆが信号増幅回路１１０の所定の再生出力信号レベルＶｏｒｅｆとして供給されるように徐々に起動する。
【００６１】
その際、基準バイアス電圧Ｖｒｅｆは、信号増幅回路１１０の起動動作モード中の出力信号Ｖｏｕｔが再生スピーカ１６０で再生できない可聴帯域以下の周波数成分のみをもつ起動波形を描きながら、０ＶからＶｏｒｅｆまで立ち上がるものとする。この時、サンプル／ホールド回路２４０は、比較器１３０の出力電圧である基準バイアス電圧Ｖｒｅｆをサンプリング動作している、又は、ＯＦＦ状態にあるものとする。基準バイアス電圧ＶｒｅｆがＶｏｒｅｆまで起動した後、信号増幅回路１１０はオーディオ信号（図２ｂ．参照）の再生を行う。
【００６２】
続いて、オーディオ信号の再生が終了し、時間ｔ＝ｔ２の間で停止させる場合、基準バイアス電圧発生回路１２０は、基準バイアス電圧Ｖｒｅｆを時間ｔ＝ｔ２後にＶｒｅｆ＝ＶｏｒｅｆからＶｒｅｆ＝０Ｖとなるように、比較器１３０を介して直接、信号増幅回路１１０の入力端子に入力する。オーディオ信号の再生終了時の基準バイアス電圧Ｖｒｅｆは、時間ｔ＝ｔ２後にＶｒｅｆ＝ＶｏｒｅｆからＶｒｅｆ＝０Ｖとなる電圧である。これにより、オーディオ信号の再生終了時には、図２ｃ．に示すように、基準バイアス電圧発生回路１２０を徐々に停止させながら基準バイアス電圧Ｖｒｅｆを時間ｔ＝ｔ２後にＶｒｅｆ＝ＶｏｒｅｆからＶｒｅｆ＝０Ｖとなるように制御する。
【００６３】
その際、比較器１３０の出力電圧Ｖｒｅｆは、信号増幅回路１１０の停止動作モード中の出力信号Ｖｏｕｔが再生スピーカ１６０で再生できない可聴帯域以下の周波数成分のみをもつ停止波形を描きながらＶｏｒｅｆから０Ｖまで立ち下がるものとする。この時、サンプル／ホールド回路２４０は、比較器１３０の出力電圧である基準バイアス電圧Ｖｒｅｆをサンプリング動作している、又はＯＦＦ状態にあるものとする。
【００６４】
このように、基準バイアス電圧発生回路１２０から、比較器１３０を介して信号増幅回路１１０の起動・停止動作モード中の出力信号Ｖｏｕｔが再生スピーカ１６０で再生できない可聴帯域以下の周波数成分のみをもつ起動・停止波形を、信号増幅回路１１０の入力端子に入力することで、従来、音声、又はオーディオ再生アンプの起動・停止時に発生していたポップノイズを低減させることが可能となる。
【００６５】
〔起動・停止時動作〕
まず、図３に示すように、オーディオ信号（図３ａ．参照）の再生が終了した後、時間ｔ＝Ｔ２の区間、停止動作モードで基準バイアス電圧発生回路１２０を動作させたあと、起動動作モードに移行する場合についての起動・停止動作を説明する。
【００６６】
図３ｂ．は時間ｔ＝Ｔ２のＯＦＦ制御時停止波形、図３ｃ．は最大値側選択動作モードにした場合の比較器１３０出力、図３ｄ．は時間ｔ１のＯＮ制御時起動波形、図３ｅ．はサンプル／ホールド回路２４０動作区間を示す。
【００６７】
時間ｔ＝Ｔ２のタイミングでの、信号出力回路の出力信号ＶｏｕｔをＶｏｕｔ＝Ｖａとして、停止動作モードから起動動作モードに移行するタイミングで、サンプル／ホールド回路２４０のホールド動作により、出力電圧Ｖｓｈ＝Ｖａとして保持される。その後、基準バイアス電圧発生回路１２０を再びＶｂｉａｓ＝０ＶからＶｏｒｅｆまで通常の起動動作をさせる。この時、比較器１３０を[比較器出力選択モード]のうち最大値側選択動作モードに設定することで、
Ｖｒｅｆ＝Ｖｓｈ（＝Ｖａ）  …（Ｖｓｈ＞Ｖｂｉａｓ）
Ｖｒｅｆ＝Ｖｂｉａｓ        …（Ｖｓｈ＜Ｖｂｉａｓ）
となる基準バイアス電圧Ｖｒｅｆを信号増幅回路１１０に入力できる。
【００６８】
ＯＦＦ制御時停止波形（図３ｂ．参照）からＯＮ制御時起動波形（図３ｄ．参照）に切り替わる際、ＯＦＦ制御時停止波形（図３ｂ．参照）は、一旦、比較器１３０出力（図３ｃ．参照）を介在してＯＮ制御時起動波形（図３ｄ．参照）に切り替わることになる。この比較器１３０出力によりポップノイズは発生しない。制御時間ｔ＝Ｔ２＋ｔ１は、高速応答動作であり、かつ、比較器１３０出力であるためメモリ及び制御部を用いる従来例に比べ回路構成は極めて簡易である。
【００６９】
これにより、停止動作モード中に起動動作モードに設定された場合でも、信号増幅回路１１０の出力信号Ｖｏｕｔを滑らかに変化させることができ、ポップノイズをはじめとする「耳障りな音」を抑えることが可能となる。
【００７０】
次に、図４に示すように、ＯＦＦ状態から時間ｔ＝Ｔ４の区間、起動動作モードで基準バイアス電圧発生回路１２０を動作させたあと、停止動作モードに移行する場合についての起動・停止動作を説明する。
【００７１】
図４ａ．は時間ｔ＝Ｔ４のＯＮ制御時起動波形、図４ｂ．は最小値側選択動作モードにした場合の比較器１３０出力、図４ｃ．は時間ｔ２のＯＦＦ制御時停止波形、図４ｄ．はサンプル／ホールド回路２４０動作区間を示す。
【００７２】
時間ｔ＝Ｔ４のタイミングでの、信号出力回路の出力信号ＶｏｕｔをＶｏｕｔ＝Ｖｂとして、起動動作モードから停止動作モードに移行するタイミングで、サンプル／ホールド回路２４０のホールド動作により、出力電圧Ｖｓｈ＝Ｖｂとして保持される。その後、基準バイアス電圧発生回路１２０をＶｂｉａｓ＝Ｖｏｒｅｆから０Ｖまで通常の停止動作をさせるが、比較器１３０を[比較器出力選択モード]のうち最小値側選択動作モードに設定することで、
Ｖｒｅｆ＝Ｖｓｈ（＝Ｖｂ）  …（Ｖｓｈ＜Ｖｂｉａｓ）
Ｖｒｅｆ＝Ｖｂｉａｓ        …（Ｖｓｈ＞Ｖｂｉａｓ）
となる基準バイアス電圧Ｖｒｅｆを信号増幅回路１１０に入力できる。
【００７３】
ＯＮ制御時起動波形（図４ａ．参照）からＯＦＦ制御時停止波形（図４ｃ．参照）に切り替わる際、ＯＮ制御時起動波形（図４ａ．参照）は、一旦、比較器１３０出力（図４ｂ．参照）を介在してＯＦＦ制御時停止波形（図４ｃ．参照）に切り替わることになる。この比較器１３０出力によりポップノイズは発生しない。制御時間ｔ＝Ｔ４＋ｔ２は、高速応答動作であり、かつ、比較器１３０出力であるためメモリ及び制御部を用いる従来例に比べ回路構成は極めて簡易である。
【００７４】
これにより、起動動作モード中に停止動作モードに設定された場合でも、信号増幅回路１１０の出力信号Ｖｏｕｔを滑らかに変化させることができ、ポップノイズをはじめとする「耳障りな音」を抑えることが可能となる。
【００７５】
ここで、比較器１３０の比較動作は、通常の起動モード動作時間ｔ１と、通常の停止モード動作時間ｔ２と、移行タイミングＴ２と、移行タイミングＴ４とにより、下記の通り判別される。
【００７６】
[比較器出力選択モード]には、最大値側選択動作モードと最小値側選択動作モードとがある。
【００７７】
上記最大値側選択動作モードは、停止動作モード区間（ｔ２）内に再起動動作モードに設定された場合であり、具体的にはｔ２＞Ｔ２の場合である。
【００７８】
上記最小値側選択動作モードは、起動動作モード区間（ｔ１）内に再停止動作モードに
設定された場合であり、具体的にはｔ１＞Ｔ４の場合である。
【００７９】
このように、実施の形態２によれば、ポップノイズ低減回路２００は、サンプル／ホールド回路２４０が、比較器１３０の出力電圧である基準バイアス電圧Ｖｒｅｆをサンプル／ホールド動作により保持し、比較器１３０の入力端子に出力すること以外は、実施の形態１と同様の構成及び動作を採る。したがって、実施の形態１と同様の効果、すなわち、連続的な短時間でのＯＮ・ＯＦＦ制御において、音声再生、又は音楽再生用駆動アンプを連続的に短時間で起動・停止を繰り返す際に生じるポップノイズを低減することができる。また、より簡易的な方法で、かつ回路規模も小さく実現できる。
【００８０】
特に、本実施の形態では、比較器１３０の出力電圧である基準バイアス電圧Ｖｒｅｆをサンプル／ホールド動作により保持するので、信号増幅回路１１０の出力信号Ｖｏｕｔに重畳する信号増幅回路１１０の直流電圧誤差、及びノイズの影響を受けない利点がある。
【００８１】
（実施の形態３）
図６は、本発明の実施の形態３に係るポップノイズ低減回路の構成を示すブロック図である。本実施の形態の説明に当たり、図１と同一構成部分には同一符号を付して重複箇所の説明を省略する。
【００８２】
図６において、ポップノイズ低減回路３００は、供給される基準バイアス電圧Ｖｒｅｆを基に、音声又はオーディオ信号を増幅する信号増幅回路１１０と、基準バイアス電圧Ｖｂｉａｓを発生する基準バイアス電圧発生回路１２０と、基準バイアス電圧発生回路１２０の出力電圧Ｖｂｉａｓとサンプル／ホールド回路１４０の出力電圧Ｖｓｈとの電圧レベルを比較し、該比較結果を信号増幅回路１１０の基準バイアス電圧Ｖｒｅｆとして出力する比較器１３０と、信号増幅回路１１０の出力信号Ｖｏｕｔをサンプリング動作するサンプル／ホールド（Ｓ／Ｈ）回路１４０と、信号増幅回路１１０の出力端子に接続された出力用カップリングコンデンサ１５０（Ｃｏｕｔ）と、出力用カップリングコンデンサ１５０と接地電位との間に接続された再生スピーカ１６０とを備え、基準バイアス電圧発生回路１２０は、基準バイアス電圧Ｖｒｅｆを生成するＤ／Ａコンバータ１２１と、Ｄ／Ａコンバータ１２１を制御するＤ／Ａ制御部１２２と、Ｄ／Ａ制御部１２２に入力される起動データを出力する起動データ部１２３とを備えて構成される。
【００８３】
比較器１３０は、Ｄ／Ａコンバータ１２１の出力電圧Ｖｄａとサンプル／ホールド回路１４０の出力電圧Ｖｓｈとを入力端子に入力して電圧レベルを比較し、その比較結果を信号増幅回路１１０の基準バイアス電圧Ｖｒｅｆとして出力する。
【００８４】
起動データ部１２３に格納される起動データは、基準バイアス電圧Ｖｒｅｆが再生スピーカ１６０で再生できない可聴帯域以下の周波数成分のみをもつような、デジタル／アナログ変換用データである。起動時に使用するデジタル／アナログ変換用データは、停止時にはデータを反転させて使用することが動作上望ましく、かつ回路規模の削減も可能となる。
【００８５】
以下、上述のように構成されたポップノイズ低減回路３００の動作について説明する。基本的な動作は、図１のポップノイズ低減回路１００と同様である。したがって、図２乃至図４に示す起動・停止時のタイミングチャートを基にポップノイズ低減回路３００の動作を説明する。
【００８６】
〔通常起動・停止動作時の基本動作〕
基準バイアス電圧発生回路１２０は、起動制御前の基準バイアス電圧Ｖｒｅｆを、比較器１３０を介して直接、信号増幅回路１１０の入力端子に入力する。起動動作時の基準バイアス電圧Ｖｒｅｆは、Ｖｒｅｆ＝０Ｖとして、時間ｔ＝ｔ１後にＶｒｅｆが信号増幅回路１１０の所定の動作電圧レベルＶｏｒｅｆとして供給されるようにＤ／Ａコンバータ１２１を徐々に起動させる電圧である。その際、基準バイアス電圧Ｖｒｅｆは、信号増幅回路１１０の起動動作モード中の出力信号Ｖｏｕｔが再生スピーカ１６０で再生できない可聴帯域以下の周波数成分のみをもつ起動波形を描きながら、０ＶからＶｏｒｅｆまで立ち上がるものとする。この時、サンプル／ホールド回路１４０は、信号増幅回路１１０の出力信号Ｖｏｕｔをサンプリング動作している、又は、ＯＦＦ状態にあるものとする。基準バイアス電圧ＶｒｅｆがＶｏｒｅｆまで起動した後、信号増幅回路１１０はオーディオ信号の再生を行う。
【００８７】
続いて、オーディオ信号の再生が終了し、時間ｔ＝ｔ２の間で停止させる場合、基準バイアス電圧発生回路１２０を徐々に停止させながら基準バイアス電圧Ｖｒｅｆを時間ｔ＝ｔ２後にＶｒｅｆ＝ＶｏｒｅｆからＶｒｅｆ＝０Ｖとなるように、比較器１３０を介して直接、信号増幅回路１１０の入力端子に入力するように制御する。その際、比較器１３０の出力電圧Ｖｒｅｆは、信号増幅回路１１０の停止動作モード中の出力信号Ｖｏｕｔが再生スピーカ１６０で再生できない可聴帯域以下の周波数成分のみをもつ停止波形を描きながらＶｏｒｅｆから０Ｖまで立ち下がるものとする。この時、サンプル／ホールド回路１４０は、出力信号Ｖｏｕｔをサンプリング動作している、又は、ＯＦＦ状態にあるものとする。
【００８８】
このように、基準バイアス電圧発生回路１２０から、比較器１３０を介して信号増幅回路１１０の起動・停止動作モード中の出力信号Ｖｏｕｔが再生スピーカ１６０で再生できない可聴帯域以下の周波数成分のみをもつ起動・停止波形を信号増幅回路１１０の入力端子に入力することで、従来、音声、又はオーディオ再生アンプの起動・停止時に発生していたポップノイズを低減させることが可能となる。
【００８９】
〔起動・停止時動作〕
まず、図３に示すように、オーディオ信号（図３ａ．参照）の再生が終了した後、時間ｔ＝Ｔ２の区間、停止動作モードで基準バイアス電圧発生回路１２０を動作させたあと、起動動作モードに移行する場合についての起動・停止動作を説明する。
【００９０】
図３ｂ．は時間ｔ＝Ｔ２のＯＦＦ制御時停止波形、図３ｃ．は最大値側選択動作モードにした場合の比較器１３０出力、図３ｄ．は時間ｔ１のＯＮ制御時起動波形、図３ｅ．はサンプル／ホールド回路１４０動作区間を示す。
【００９１】
時間ｔ＝Ｔ２のタイミングでの、信号出力回路の出力信号ＶｏｕｔをＶｏｕｔ＝Ｖａとして、停止動作モードから起動動作モードに移行するタイミングで、サンプル／ホールド回路１４０のホールド動作により、出力電圧Ｖｓｈ＝Ｖａとして保持される。その後、Ｄ／Ａコンバータ１２１を再びＶｄａ＝０ＶからＶｏｒｅｆまで通常の起動動作をさせる。この時、比較器１３０を最大値側選択動作モードに設定することで、
Ｖｒｅｆ＝Ｖｓｈ（＝Ｖａ）  …（Ｖｓｈ＞Ｖｄａ）
Ｖｒｅｆ＝Ｖｄａ            …（Ｖｓｈ＜Ｖｄａ）
となる基準バイアス電圧Ｖｒｅｆを信号増幅回路１１０に入力できる。
【００９２】
ＯＮ制御時起動波形（図３ａ．参照）からＯＦＦ制御時停止波形（図３ｃ．参照）に切り替わる際、ＯＮ制御時起動波形（図３ａ．参照）は、一旦、比較器１３０出力（図３ｂ．参照）を介在してＯＦＦ制御時停止波形（図３ｃ．参照）に切り替わることになる。この比較器１３０出力によりポップノイズは発生しない。制御時間ｔ＝Ｔ４＋ｔ２は、高速応答動作であり、かつ、比較器１３０出力であるためメモリ及び制御部を用いる従来例に比べ回路構成は極めて簡易である。
【００９３】
これにより、停止動作モード中に起動動作モードに設定された場合でも、信号増幅回路１１０の出力信号Ｖｏｕｔを滑らかに変化させることができ、ポップノイズをはじめとする「耳障りな音」を抑えることが可能となる。
【００９４】
次に、図４に示すように、ＯＦＦ状態から時間ｔ＝Ｔ４の区間、起動動作モードで基準バイアス電圧発生回路１２０を動作させたあと、停止動作モードに移行する場合についての起動・停止動作を説明する。
【００９５】
図４ａ．は時間ｔ＝Ｔ４のＯＮ制御時起動波形、図４ｂ．は最小値側選択動作モードにした場合の比較器１３０出力、図４ｃ．は時間ｔ２のＯＦＦ制御時停止波形、図４ｄ．はサンプル／ホールド回路１４０動作区間を示す。
【００９６】
時間ｔ＝Ｔ４のタイミングでの、信号出力回路の出力信号ＶｏｕｔをＶｏｕｔ＝Ｖｂとして、起動動作モードから停止動作モードに移行するタイミングで、サンプル／ホールド回路１４０のホールド動作により、出力電圧Ｖｓｈ＝Ｖｂとして保持される。その後、Ｄ／Ａコンバータ１２１をＶｄａ＝Ｖｏｒｅｆから０Ｖまで通常の停止動作をさせるが、比較器１３０を最小値側選択動作モードに設定することで、
Ｖｒｅｆ＝Ｖｓｈ（＝Ｖｂ）  …（Ｖｓｈ＜Ｖｄａ）
Ｖｒｅｆ＝Ｖｄａ            …（Ｖｓｈ＞Ｖｄａ）
となる基準バイアス電圧Ｖｒｅｆを信号増幅回路１１０に入力できる。
【００９７】
ＯＮ制御時起動波形（図４ａ．参照）からＯＦＦ制御時停止波形（図４ｃ．参照）に切り替わる際、ＯＮ制御時起動波形（図４ａ．参照）は、一旦、比較器１３０出力（図４ｂ．参照）を介在してＯＦＦ制御時停止波形（図４ｃ．参照）に切り替わることになる。この比較器１３０出力によりポップノイズは発生しない。制御時間ｔ＝Ｔ４＋ｔ２は、高速応答動作であり、かつ、比較器１３０出力であるためメモリ及び制御部を用いる従来例に比べ回路構成は極めて簡易である。
【００９８】
これにより、起動動作モード中に停止動作モードに設定された場合でも、信号増幅回路１１０の出力信号Ｖｏｕｔを滑らかに変化させることができ、ポップノイズをはじめとする「耳障りな音」を抑えることが可能となる。
【００９９】
ここで、比較器１３０の比較動作は、通常の起動モード動作時間ｔ１と、通常の停止モード動作時間ｔ２と、移行タイミングＴ２と、移行タイミングＴ４とにより、下記の通り判別される。
【０１００】
[比較器出力選択モード]には、最大値側選択動作モードと最小値側選択動作モードとがある。
【０１０１】
上記最大値側選択動作モードは、停止動作モード区間（ｔ２）内に再起動動作モードに設定された場合であり、具体的にはｔ２＞Ｔ２の場合である。
【０１０２】
上記最小値側選択動作モードは、起動動作モード区間（ｔ１）内に再停止動作モードに
設定された場合であり、具体的にはｔ１＞Ｔ４の場合である。
【０１０３】
このように、実施の形態３によれば、実施の形態１と同様の効果、すなわち、連続的な短時間でのＯＮ・ＯＦＦ制御において、音声再生、又は音楽再生用駆動アンプを連続的に短時間で起動・停止を繰り返す際に生じるポップノイズを低減することができる。また、より簡易的な方法で、かつ回路規模も小さく実現できる。
【０１０４】
例えば、前記図８の従来例では、起動・停止切替時に発生するポップノイズを抑制するためには、少なくとも時間ｔ＝ｔ１（ＯＮ制御）＋ｔ２（ＯＦＦ制御）だけの制御時間で、停止動作モード⇒起動動作モード、あるいは、起動動作モード⇒停止動作モードを切り替えていた。これに対し、本実施の形態では、制御時間ｔ＜ｔ１（ＯＮ制御）＋ｔ２（ＯＦＦ制御）での停止動作モード⇒起動動作モード、あるいは起動動作モード⇒停止動作モードの切替により、連続的な短時間でのＯＮ・ＯＦＦ制御が可能となり、かつ、起動・停止切替時に発生するポップノイズの低減を図ることができる。
【０１０５】
また、図１２の従来例と比較すると、本実施の形態では、制御時間ｔ＜ｔ１（ＯＮ制御）＋ｔ２（ＯＦＦ制御）での停止動作モード⇒起動動作モード、あるいは起動動作モード⇒停止動作モードの切替を、より簡易的な方法で、かつ回路規模も小さく実現できる。
【０１０６】
（実施の形態４）
図７は、本発明の実施の形態４に係るポップノイズ低減回路の構成を示すブロック図である。本実施の形態の説明に当たり、図５及び図６と同一構成部分には同一符号を付して重複箇所の説明を省略する。
【０１０７】
図７において、ポップノイズ低減回路４００は、比較器１３０から供給される基準バイアス電圧Ｖｒｅｆを基に、音声又はオーディオ信号を増幅する信号増幅回路１１０と、基準バイアス電圧Ｖｂｉａｓを発生する基準バイアス電圧発生回路１２０と、基準バイアス電圧発生回路１２０の出力電圧Ｖｂｉａｓとサンプル／ホールド回路２４０の出力電圧Ｖｓｈとの電圧レベルを比較し、該比較結果を信号増幅回路１１０の基準バイアス電圧Ｖｒｅｆとして出力する比較器１３０と、比較器１３０の出力電圧である基準バイアス電圧Ｖｒｅｆをサンプリング動作するサンプル／ホールド回路２４０と、信号増幅回路１１０の出力端子に接続された出力用カップリングコンデンサ１５０（Ｃｏｕｔ）と、出力用カップリングコンデンサ１５０と接地電位との間に接続された再生スピーカ１６０とを備え、基準バイアス電圧発生回路１２０は、基準バイアス電圧Ｖｒｅｆを生成するＤ／Ａコンバータ１２１と、Ｄ／Ａコンバータ１２１を制御するＤ／Ａ制御部１２２と、Ｄ／Ａ制御部１２２に入力される起動データを出力する起動データ部１２３とを備えて構成される。
【０１０８】
起動データ部１２３に格納される起動データは、基準バイアス電圧Ｖｒｅｆが再生スピーカ１６０で再生できない可聴帯域以下の周波数成分のみをもつような、デジタル／アナログ変換用データである。起動時に使用するデジタル／アナログ変換用データは、停止時にはデータを反転させて使用することが動作上望ましく、かつ回路規模の削減も可能となる。
【０１０９】
比較器１３０は、Ｄ／Ａコンバータ１２１の出力電圧Ｖｄａとサンプル／ホールド回路２４０の出力電圧Ｖｓｈとを入力端子に入力して電圧レベルを比較し、その比較結果を信号増幅回路１１０の基準バイアス電圧Ｖｒｅｆとして出力する。
【０１１０】
サンプル／ホールド回路２４０は、比較器１３０の出力電圧である基準バイアス電圧Ｖｒｅｆをサンプル／ホールド動作により保持し、比較器１３０の入力端子に出力する。
【０１１１】
以下、上述のように構成されたポップノイズ低減回路４００の動作について説明する。基本的な動作は、図１のポップノイズ低減回路１００と同様である。したがって、図２乃至図４に示す起動・停止時のタイミングチャートを基にポップノイズ低減回路４００の動作を説明する。
【０１１２】
〔通常起動・停止動作時の基本動作〕
基準バイアス電圧発生回路１２０は、起動制御前の基準バイアス電圧Ｖｒｅｆを、比較器１３０を介して直接、信号増幅回路１１０の入力端子に入力する。起動動作時の基準バイアス電圧Ｖｒｅｆは、Ｖｒｅｆ＝０Ｖとして、時間ｔ＝ｔ１後にＶｒｅｆが信号増幅回路１１０の所定の動作電圧レベルＶｏｒｅｆとして供給されるようにＤ／Ａコンバータ１２１を徐々に起動させる電圧である。その際、基準バイアス電圧Ｖｒｅｆは、信号増幅回路１１０の起動動作モード中の出力信号Ｖｏｕｔが再生スピーカ１６０で再生できない可聴帯域以下の周波数成分のみをもつ起動波形を描きながら、０ＶからＶｏｒｅｆまで立ち上がるものとする。この時、サンプル／ホールド回路２４０は、信号増幅回路１１０の出力信号Ｖｏｕｔをサンプリング動作している、又は、ＯＦＦ状態にあるものとする。基準バイアス電圧ＶｒｅｆがＶｏｒｅｆまで起動した後、信号増幅回路１１０はオーディオ信号の再生を行う。
【０１１３】
続いて、オーディオ信号の再生が終了し、時間ｔ＝ｔ２の間で停止させる場合、基準バイアス電圧発生回路１２０を徐々に停止させながら基準バイアス電圧Ｖｒｅｆを時間ｔ＝ｔ２後にＶｒｅｆ＝ＶｏｒｅｆからＶｒｅｆ＝０Ｖとなるように、比較器１３０を介して直接、信号増幅回路１１０の入力端子に入力するように制御する。その際、比較器１３０の出力電圧Ｖｒｅｆは、信号増幅回路１１０の停止動作モード中の出力信号Ｖｏｕｔが再生スピーカ１６０で再生できない可聴帯域以下の周波数成分のみをもつ停止波形を描きながらＶｏｒｅｆから０Ｖまで立ち下がるものとする。この時、サンプル／ホールド回路２４０は、比較器１３０の出力電圧である基準バイアス電圧Ｖｒｅｆをサンプリング動作している、又は、ＯＦＦ状態にあるものとする。
【０１１４】
このように、基準バイアス電圧発生回路１２０から、比較器１３０を介して信号増幅回路１１０の起動・停止動作モード中の出力信号Ｖｏｕｔが再生スピーカ１６０で再生できない可聴帯域以下の周波数成分のみをもつ起動・停止波形を信号増幅回路１１０の入力端子に入力することで、従来、音声、又はオーディオ再生アンプの起動・停止時に発生していたポップノイズを低減させることが可能となる。
【０１１５】
〔起動・停止時動作〕
まず、図３に示すように、オーディオ信号（図３ａ．参照）の再生が終了した後、時間ｔ＝Ｔ２の区間、停止動作モードで基準バイアス電圧発生回路１２０を動作させたあと、起動動作モードに移行する場合についての起動・停止動作を説明する。
【０１１６】
図３ｂ．は時間ｔ＝Ｔ２のＯＦＦ制御時停止波形、図３ｃ．は最大値側選択動作モードにした場合の比較器１３０出力、図３ｄ．は時間ｔ１のＯＮ制御時起動波形、図３ｅ．はサンプル／ホールド回路２４０動作区間を示す。
【０１１７】
時間ｔ＝Ｔ２のタイミングでの、信号出力回路の出力信号ＶｏｕｔをＶｏｕｔ＝Ｖａとして、停止動作モードから起動動作モードに移行するタイミングで、サンプル／ホールド回路２４０のホールド動作により、出力電圧Ｖｓｈ＝Ｖａとして保持される。その後、Ｄ／Ａコンバータ１２１を再びＶｄａ＝０ＶからＶｏｒｅｆまで通常の起動動作をさせる。この時、比較器１３０を最大値側選択動作モードに設定することで、
Ｖｒｅｆ＝Ｖｓｈ（＝Ｖａ）  …（Ｖｓｈ＞Ｖｄａ）
Ｖｒｅｆ＝Ｖｄａ            …（Ｖｓｈ＜Ｖｄａ）
となる基準バイアス電圧Ｖｒｅｆを信号増幅回路１１０に入力できる。
【０１１８】
ＯＮ制御時起動波形（図３ａ．参照）からＯＦＦ制御時停止波形（図３ｃ．参照）に切り替わる際、ＯＮ制御時起動波形（図３ａ．参照）は、一旦、比較器１３０出力（図３ｂ．参照）を介在してＯＦＦ制御時停止波形（図３ｃ．参照）に切り替わることになる。この比較器１３０出力によりポップノイズは発生しない。制御時間ｔ＝Ｔ４＋ｔ２は、高速応答動作であり、かつ、比較器１３０出力であるためメモリ及び制御部を用いる従来例に比べ回路構成は極めて簡易である。
【０１１９】
これにより、停止動作モード中に起動動作モードに設定された場合でも、信号増幅回路１１０の出力信号Ｖｏｕｔを滑らかに変化させることができ、ポップノイズをはじめとする「耳障りな音」を抑えることが可能となる。
【０１２０】
次に、図４に示すように、ＯＦＦ状態から時間ｔ＝Ｔ４の区間、起動動作モードで基準バイアス電圧発生回路１２０を動作させたあと、停止動作モードに移行する場合についての起動・停止動作を説明する。
【０１２１】
図４ａ．は時間ｔ＝Ｔ４のＯＮ制御時起動波形、図４ｂ．は最小値側選択動作モードにした場合の比較器１３０出力、図４ｃ．は時間ｔ２のＯＦＦ制御時停止波形、図４ｄ．はサンプル／ホールド回路２４０動作区間を示す。
【０１２２】
時間ｔ＝Ｔ４のタイミングでの、信号出力回路の出力信号ＶｏｕｔをＶｏｕｔ＝Ｖｂとして、起動動作モードから停止動作モードに移行するタイミングで、サンプル／ホールド回路２４０のホールド動作により、出力電圧Ｖｓｈ＝Ｖｂとして保持される。その後、Ｄ／Ａコンバータ１２１をＶｄａ＝Ｖｏｒｅｆから０Ｖまで通常の停止動作をさせるが、比較器１３０を最小値側選択動作モードに設定することで、
Ｖｒｅｆ＝Ｖｓｈ（＝Ｖｂ）  …（Ｖｓｈ＜Ｖｄａ）
Ｖｒｅｆ＝Ｖｄａ            …（Ｖｓｈ＞Ｖｄａ）
となる基準バイアス電圧Ｖｒｅｆを信号増幅回路１１０に入力できる。
【０１２３】
ＯＮ制御時起動波形（図４ａ．参照）からＯＦＦ制御時停止波形（図４ｃ．参照）に切り替わる際、ＯＮ制御時起動波形（図４ａ．参照）は、一旦、比較器１３０出力（図４ｂ．参照）を介在してＯＦＦ制御時停止波形（図４ｃ．参照）に切り替わることになる。この比較器１３０出力によりポップノイズは発生しない。制御時間ｔ＝Ｔ４＋ｔ２は、高速応答動作であり、かつ、比較器１３０出力であるためメモリ及び制御部を用いる従来例に比べ回路構成は極めて簡易である。
【０１２４】
これにより、起動動作モード中に停止動作モードに設定された場合でも、信号増幅回路１１０の出力信号Ｖｏｕｔを滑らかに変化させることができ、ポップノイズをはじめとする「耳障りな音」を抑えることが可能となる。
【０１２５】
ここで、比較器１３０の比較動作は、通常の起動モード動作時間ｔ１と、通常の停止モード動作時間ｔ２と、移行タイミングＴ２と、移行タイミングＴ４とにより、下記の通り判別される。
【０１２６】
[比較器出力選択モード]には、最大値側選択動作モードと最小値側選択動作モードとがある。
【０１２７】
上記最大値側選択動作モードは、停止動作モード区間（ｔ２）内に再起動動作モードに設定された場合であり、具体的にはｔ２＞Ｔ２の場合である。
【０１２８】
上記最小値側選択動作モードは、起動動作モード区間（ｔ１）内に再停止動作モードに
設定された場合であり、具体的にはｔ１＞Ｔ４の場合である。
【０１２９】
このように、実施の形態４によれば、実施の形態２と同様の効果、すなわち、連続的な短時間でのＯＮ・ＯＦＦ制御において、音声再生、又は音楽再生用駆動アンプを連続的に短時間で起動・停止を繰り返す際に生じるポップノイズを低減することができる。また、より簡易的な方法で、かつ回路規模も小さく実現できる。また、本実施の形態では、比較器１３０の出力電圧である基準バイアス電圧Ｖｒｅｆをサンプル／ホールド動作により保持するので、信号増幅回路１１０の出力信号Ｖｏｕｔに重畳する信号増幅回路１１０の直流電圧誤差、及びノイズの影響を受けない利点がある。
【０１３０】
以上の説明は本発明の好適な実施の形態の例証であり、本発明の範囲はこれに限定されることはない。例えば、上記各実施の形態の比較器１３０の出力選択モードの決定は、前述した選択パターンに限定されるものではない。
【０１３１】
また、上記各実施の形態は、各種のオーディオ再生アンプに適用した例であるが、音を増幅するものであればどのような機器にも同様に適用できることは言うまでもない。
【０１３２】
また、上記各実施の形態ではポップノイズ低減回路という名称を用いたが、これは説明の便宜上であり、バイアス回路、オーディオ装置等であってもよいことは勿論である。
【０１３３】
さらに、上記ポップノイズ低減回路を構成する各回路部、例えば比較器の種類、数及び接続方法などは前述した実施の形態に限られない。
【産業上の利用可能性】
【０１３４】
本発明に係るポップノイズ低減回路は、音声再生、又は音楽再生用駆動アンプを連続的に短時間で起動・停止を繰り返す際に生じるポップノイズを低減できる最適な回路であり、携帯電話や音声・音楽再生端末などの携帯情報機器に有用である。また、各種の音響装置におけるポップノイズ低減回路に適用して好適であるのみならず、音響装置以外の電子機器におけるポップノイズ低減回路にも広く適用され得るものである。
【図面の簡単な説明】
【０１３５】
【図１】本発明の実施の形態１に係るポップノイズ低減回路の構成を示すブロック図
【図２】上記実施の形態１に係るポップノイズ低減回路の通常の起動・停止動作時の基本動作タイミング図
【図３】上記実施の形態１に係るポップノイズ低減回路の通常の停止動作モードの途中で起動動作モードに移行させる場合の動作タイミング図
【図４】上記実施の形態１に係るポップノイズ低減回路の通常の起動動作モードの途中で停止動作モードに移行させる場合の動作タイミング図
【図５】本発明の実施の形態２に係るポップノイズ低減回路の構成を示すブロック図
【図６】本発明の実施の形態３に係るポップノイズ低減回路の構成を示すブロック図
【図７】本発明の実施の形態４に係るポップノイズ低減回路の構成を示すブロック図
【図８】従来のポップノイズ低減回路の構成を示すブロック図
【図９】図８のポップノイズ低減回路の連続的な起動・停止動作時の基本動作タイミング図
【図１０】図８のポップノイズ低減回路の連続的な停止から起動時におけるポップノイズ発生タイミング図
【図１１】図８のポップノイズ低減回路の連続的な起動から停止時におけるポップノイズ発生タイミング図
【図１２】従来のポップノイズ低減回路の構成を示すブロック図
【図１３】図１２のポップノイズ低減回路の連続的な停止から起動時におけるポップノイズ発生タイミング図
【図１４】図１２のポップノイズ低減回路の連続的な起動から停止時におけるポップノイズ発生タイミング図
【符号の説明】
【０１３６】
１００，２００，３００，４００  ポップノイズ低減回路
１１０  信号増幅回路
１２０  基準バイアス電圧発生回路
１２１  Ｄ／Ａコンバータ
１２２  Ｄ／Ａ制御部
１２３  起動データ部
１３０  比較器
１４０，２４０  サンプル／ホールド回路
１５０  出力用カップリングコンデンサ
１６０  再生スピーカ
【図１】
2008193341.tif 000003
【図２】
2008193341.tif 000004
【図３】
2008193341.tif 000005
【図４】
2008193341.tif 000006
【図５】
2008193341.tif 000007
【図６】
2008193341.tif 000008
【図７】
2008193341.tif 000009
【図８】
2008193341.tif 000010
【図９】
2008193341.tif 000011
【図１０】
2008193341.tif 000012
【図１１】
2008193341.tif 000013
【図１２】
2008193341.tif 000014
【図１３】
2008193341.tif 000015
【図１４】
2008193341.tif 000016